(57)【要約】【課題】小型で重量が軽く、携帯と収納に便利であり、ダイバーがダイビング中の水深と空気タンクの空気残量を手軽に確認できるダイビング用コンソールゲージの提供。【解決手段】ハウジング１０、上蓋１９、透明板、底蓋２３で囲まれた密閉防水空間の内部に残圧計、水圧計、目盛り盤３０を設置して成り、残圧計が第１指針４３を動かし、水圧計が第２指針５２を動かして、第１指針４３と第２指針５２が同一の目盛り盤３０上で空気圧目盛り３５と水圧目盛り３６をそれぞれ指し示す。【選択図】図１
0003204469.tif 000002
【実用新案登録請求の範囲】
【請求項１】
ダイビング用コンソールゲージであって、ハウジングと、上蓋と、透明板と、底蓋と、残圧計と、水圧計と、目盛り盤を含み、
前記ハウジングが中空の筒状構造であり、上端部にラッパ形に開口した上部開口が設けられ、下端部に下部開口が設けられ、内周面に環状の内面凸部が設置され、側面に空気圧管口が設置され、
前記上蓋が中空の環状構造であり、前記ハウジングの前記上部開口に係合されて、前記上蓋と前記ハウジングが緊密に係合され、
前記透明板が前記上蓋と前記ハウジングの間に組み付けられ、前記透明板の底面周縁部と前記ハウジングの上部開口の間に環状の漏れ防止パッキンが設置され、
前記底蓋は前記ハウジングの前記下部開口に係合され、前記底蓋の底面に複数の水圧孔が設けられ、前記底蓋と前記ハウジングの下部開口の間に水圧膜が設置され、前記底蓋と前記ハウジングが緊密に係合され、
前記残圧計が前記ハウジングの上部空間内に設置され、前記残圧計の軸心に第１指針が取り付けられ、前記残圧計の側部に空気入口が設けられ、該空気入口が前記ハウジングの空気圧管口内に挿入されると共に、外部接続された空気圧ポートと空気圧管を介して空気タンクと連通されて、前記残圧計が前記空気タンク内の空気残圧を検出し、
前記水圧計が前記ハウジングの前記内面凸部と前記下部開口の間の空間内に設置され、前記水圧計の軸心に第２指針が取り付けられ、前記水圧計の上面が前記内面凸部に接触され、底面が前記水圧膜により被覆され、前記水圧計内部のセンサー部材が前記水圧膜により押し動かされてダイビング時の水深を検出し、
前記目盛り盤が、盤面状構造をなし、中央の平面部と外環の斜面部から構成され、前記平面部の中心に、前記残圧計の軸心を挿通する軸孔が設けられ、前記平面部の表面に空気圧（空気量）目盛りが設けられ、前記平面部と前記斜面部の間に、前記水圧計の第２指針を挿通する円弧状の溝部が設けられ、前記斜面部の表面に水圧（水深）目盛りが設けられ、
前記残圧計が検出した空気圧に基づいて前記第１指針が動き、前記水圧計が検出した水圧に基づいて前記第２指針が動き、前記第１指針と前記第２指針が同一の目盛り盤上で、前記空気タンク内の空気残量とダイバーの水深をそれぞれ指し示すことを特徴とする、ダイビング用コンソールゲージ。
【請求項２】
前記ハウジングの前記上部開口の外周面に環状の上係合溝が形成され、前記上蓋の内側に前記上係合溝に係合する係合凸部が周方向に沿って形成され、前記ハウジングの下部開口の外周面に環状の下係合溝が形成され、前記底蓋の内側に前記下係合溝に係合する係合凸部が周方向に沿って形成されたことを特徴とする、請求項１に記載のダイビング用コンソールゲージ。
【請求項３】
前記水圧計の前記軸心に取り付けられた前記第２指針が、湾曲されて上に向けられた形状であり、前記残圧計と前記ハウジングの間の間隙に沿って上に延伸し、その針先が前記目盛り盤の溝部を通過して前記目盛り盤の斜面部上方まで延伸されたことを特徴とする、請求項１に記載のダイビング用コンソールゲージ。
【請求項４】
前記目盛り盤の前記斜面部が、前記ハウジングのラッパ形に開口した前記上部開口の形状に対応し、前記目盛り盤が前記ハウジングの前記上部開口内に収容されることを特徴とする、請求項１に記載のダイビング用コンソールゲージ。
【請求項５】
前記ハウジングは、その前記上部開口の内面に設けられた少なくとも１つの位置決め溝を含み、前記目盛り盤の外面において、前記位置決め溝と相互に対応する位置に凸部が設けられ、前記目盛り盤が前記ハウジングの上部開口内に収容され、前記凸部と前記位置決め溝とを係合することにより前記目盛り盤が位置決めされることを特徴とする、請求項１または４に記載のダイビング用コンソールゲージ。
【考案の詳細な説明】
【技術分野】
【０００１】
本考案は、ダイバーがダイビング中の水深と空気タンクの空気残量を手軽に確認できる改良型のダイビング用コンソールゲージに関する。
【背景技術】
【０００２】
ダイビング用コンソールゲージはダイビングに不可欠な重要装備である。既知のダイビング用コンソールゲージには、主に、水圧を検知してダイバーが潜水しているときの水深を表示する水圧計、および空気圧管により空気タンクに連結され、空気タンクの空気圧を検知して空気タンク内の空気残量を表示する残圧計が含まれる。
従来のダイビング用コンソールゲージは、一般に、単一の水圧計と単一の残圧計をゴムまたはプラスチックで成型されたゲージ装置上に嵌設して成る。一部のタイプのダイビング用コンソールゲージは、このゲージ装置上にさらにコンパスや照明ランプなど３種類目のゲージを設置して、ダイビング用コンソールゲージの機能をより完全にしているものもある。
【０００３】
しかしながら、上記従来のダイビング用コンソールゲージは単一の水圧計と単一の残圧計がゲージ装置上の２つのゲージ空間をそれぞれ占用し、製造上、ゲージ装置により多くの材料を使用する必要があり、ゲージ装置にも十分な面積がなければ少なくとも水圧計と残圧計の２つのゲージを収容することができないため、ゲージ装置全体が嵩張り、重量もより重くなってしまい、使用、携帯、収納に不便になる。
また、上記従来のダイビング用コンソールゲージは、各ダイビング関連情報（空気の残圧、水深）がそれぞれ別のゲージによって提供されるため、ダイバーの視線を２つの異なる位置のゲージ間で移動させる必要があり、誤読や誤判断の可能性が高くなる。
【考案の概要】
【考案が解決しようとする課題】
【０００４】
本考案が解決しようとする課題は、上述の問題を解決し、小型で重量が軽く、携帯と収納に便利であり、ダイバーがダイビング中の水深と空気タンクの空気残量を手軽に確認できるダイビング用コンソールゲージを提供することにある。
【課題を解決するための手段】
【０００５】
本考案のダイビング用コンソールゲージは、ハウジングと、上蓋と、透明板と、底蓋と、残圧計と、水圧計と、目盛り盤を含み、前記ハウジングは、中空の筒状構造であり、上端部にラッパ形に開口した上部開口が設けられ、下端部に下部開口が設けられ、内周面に環状の内面凸部が設置され、側面に空気圧管口が設置され、前記上蓋は、中空の環状構造であり、前記ハウジングの前記上部開口に係合されて、前記上蓋と前記ハウジングが緊密に係合され、前記透明板が前記上蓋と前記ハウジングの間に組み付けられ、前記透明板の底面周縁部と前記ハウジングの上部開口の間に環状の漏れ防止パッキンが設置され、前記底蓋は前記ハウジングの前記下部開口に係合され、前記底蓋の底面に複数の水圧孔が設けられ、前記底蓋と前記ハウジングの下部開口の間に水圧膜が設置され、前記底蓋と前記ハウジングが緊密に係合され、前記残圧計が前記ハウジングの上部空間内に設置され、前記残圧計の軸心に第１指針が取り付けられ、前記残圧計の側部に空気入口が設けられ、該空気入口が前記ハウジングの空気圧管口内に挿入されると共に、外部接続された空気圧ポートと空気圧管を介して空気タンクと連通されて、前記残圧計が前記空気タンク内の空気残圧を検出し、前記水圧計が前記ハウジングの前記内面凸部と前記下部開口の間の空間内に設置され、前記水圧計の軸心に第２指針が取り付けられ、前記水圧計の上面が前記内面凸部に接触され、底面が前記水圧膜により被覆され、前記水圧計内部のセンサー部材が前記水圧膜により押し動かされてダイビング時の水深を検出し、前記目盛り盤は、盤面状構造をなし、中央の平面部と外環の斜面部から構成され、前記平面部の中心に、前記残圧計の軸心を挿通する軸孔が設けられ、前記平面部の表面に空気圧（空気量）目盛りが設けられ、前記平面部と前記斜面部の間に、前記水圧計の第２指針を挿通する円弧状の溝部が設けられ、前記斜面部の表面に水圧（水深）目盛りが設けられ、前記残圧計が検出した空気圧に基づいて前記第１指針が動き、前記水圧計が検出した水圧に基づいて前記第２指針が動き、前記第１指針と前記第２指針が同一の目盛り盤上で、前記空気タンク内の空気残量とダイバーの水深をそれぞれ指し示す。
【０００６】
前記ハウジングの前記上部開口の外周面に環状の上係合溝が形成され、前記上蓋の内側に前記上係合溝に係合する係合凸部が周方向に沿って形成され、前記ハウジングの下部開口の外周面に環状の下係合溝が形成され、前記底蓋の内側に前記下係合溝に係合する係合凸部が周方向に沿って形成されることがある。
前記水圧計の前記軸心に取り付けられた前記第２指針が、湾曲されて上に向けられた形状であり、前記残圧計と前記ハウジングの間の間隙に沿って上に延伸し、その針先が前記目盛り盤の溝部を通過して前記目盛り盤の斜面部上方まで延伸されてもよい。
前記目盛り盤の前記斜面部が、前記ハウジングのラッパ形に開口した前記上部開口の形状に対応し、前記目盛り盤が前記ハウジングの前記上部開口内に収容されるとよい。
前記ハウジングは、その前記上部開口の内面に設けられた少なくとも１つの位置決め溝を含み、前記目盛り盤の外面において、前記位置決め溝と相互に対応する位置に凸部が設けられ、前記目盛り盤が前記ハウジングの上部開口内に収容され、前記凸部と前記位置決め溝とを係合することにより前記目盛り盤が位置決めされることがある。
【考案の効果】
【０００７】
本考案によれば、残圧計と水圧計が同一のハウジング内部の上下部に組み込まれているので、部品数が少なく、構造が簡素化されており、しかも体積が大幅に縮小され、表面積が小さいゲージ装置上に嵌設し、ゲージ装置全体の重量をより軽くすることができ、生産コストを抑えるだけでなく、実際の使用上もダイバーがより便利に携帯および収納することができる。
また、単一の目盛り盤の中央平面部に空気タンク内の空気残圧を、外環斜面部にダイビング時の水深を同時に表示するため、ダイバーは単一のゲージから必要なダイビング関連情報を簡単に読み取ることができる。
【図面の簡単な説明】
【０００８】
【図１】本考案の実施例を示すダイビング用コンソールゲージの斜視図である。
【図２】本考案の実施例を示すダイビング用コンソールゲージの側面図である。
【図３】本考案の実施例を示すダイビング用コンソールゲージの断面図である。
【図４】本考案の実施例を示すダイビング用コンソールゲージの分解断面図である。
【図５】本考案の実施例に係るハウジング、上蓋、透明板、底蓋部材の一部を破断した分解斜視図である。
【図６】本考案の実施例に係る残圧計、水圧計、目盛り盤部材の分解斜視図である。
【図７】本考案の実施例に係る目盛り盤の平面図である。
【考案を実施するための形態】
【０００９】
以下、本考案の実施例を図面に基づいて詳細に説明する。
図５と図６に示すように、本考案のダイビング用コンソールゲージは、ハウジング１０、上蓋１９、透明板２１、底蓋２３で囲まれた密閉防水空間の内部に、残圧計４０、水圧計５０、目盛り盤３０を設置して構成される。
【００１０】
図４と図５に示すように、ハウジング１０は、中空の筒状構造であり、ハウジング１０の上端部に設けられたラッパ形に開口した上部開口１１を含み、上部開口１１の外周面に環状の上係合溝１３が形成される。ハウジング１０の下端部には下部開口１４が設けられ、下部開口１４の外周面に環状の下係合溝１６が形成される。ハウジング１０の内周面に環状の内面凸部１５が設置され、ハウジング１０の側面に空気圧管口１７が設置される。ハウジング１０の中空の内部には、残圧計４０、水圧計５０、目盛り盤３０を収容することができる。
【００１１】
上蓋１９は、中空の環状構造であり、上蓋１９の内側に周方向に沿って形成された係合凸部２０を含む。この係合凸部２０をハウジング１０の上係合溝１３に係合させることにより、上蓋１９とハウジング１０が緊密に係合される。
透明板２１は上蓋１９とハウジング１０の間に組み付けられ、透明板２１の底面周縁部とハウジング１０の上部開口１１の間に環状の漏れ防止パッキン２２が設置され、上蓋１９と前記ハウジング１０の間に密閉された漏れ防止機能が提供される。
【００１２】
底蓋２３は、その内側に周方向に沿って設けられた係合凸部２５を含み、この係合凸部２５をハウジング１０の下係合溝１６に係合させることにより、底蓋２３とハウジング１０が緊密に係合される。
底蓋２３の底面には複数の水圧孔２４が設けられ、水圧膜５３が底蓋２３とハウジング１０の下部開口１４の間に設置される。そして、水圧孔２４に合わせて設置された水圧計５０で水圧を測定することができ、水圧膜５３によって底蓋２３と前記ハウジング１０間に密閉された漏れ防止機能が同時に提供される。
【００１３】
図４と図６に示すように、残圧計４０は、その側部に設けられた空気入口４１を含み、残圧計４０の軸心４２に第１指針４３が取り付けられる（図３参照）。
残圧計４０はハウジング１０の上部空間内に設置され、残圧計４０の空気入口４１をハウジング１０の空気圧管口１７内にちょうど挿入することができる（図３参照）。残圧計４０は、空気入口４１、外部接続された空気圧ポート１８及び空気圧管を介して空気タンクと連通され（空気圧管と空気タンクは図示しない）、空気タンク内の空気残圧を検出して、第１指針４３により目盛り盤３０上で指し示すことができる。
【００１４】
水圧計５０は、その軸心５１に取り付けられた第２指針５２を含む。第２指針５２は湾曲されて上に向けられた形状であり、図３に示すように、残圧計４０とハウジング１０の間の間隙に沿って上に延伸させることができ、その針先が目盛り盤３０に形成された溝部３３を通過して目盛り盤３０の上方まで延伸される。
図４と図６に示すように、水圧計５０はハウジング１０内部に設置され、内面凸部１５と下部開口１４の間の下部空間内に設置される。水圧計５０の上面は内面凸部１５に接触され、水圧計５０の底面が水圧膜５３により被覆され、水圧計５０内部のセンサー部材が水圧膜５３により押し動かされ、水圧が水圧計５０の軸心５１を介して第２指針５２を動かし、目盛り盤３０上で水深が指し示される。
【００１５】
図６と図７に示すように、目盛り盤３０は、盤面状構造をなし、中央の平面部３１と外環の斜面部３２から構成される。
目盛り盤３０の平面部３１の中心に軸孔３４が設けられ、平面部３１の表面に空気圧（空気量）目盛り３５が設けられる。平面部３１と斜面部３２の間には円弧状の溝部３３が設けられ、平面部３１と斜面部３２とは溝部３３により切開されていない部分でのみ連接されている。
また、斜面部３２の表面に水圧（水深）目盛り３６が設けられる。
【００１６】
図４、図５、図６に示すように、目盛り盤３０の斜面部３２が、ハウジング１０のラッパ形に開口した上部開口１１の形状に対応し、図３に示すように、目盛り盤３０がハウジング１０の上部開口１１内に収容される。
目盛り盤３０の中心の軸孔３４は、残圧計４０の軸心４２を挿通させることができ、軸心４２により第１指針４３を動かして、平面部３１の空気圧目盛り３５上に空気タンク内の空気残圧を指し示すことができる。
目盛り盤３０の円弧状の溝部３３は、水圧計５０の第２指針５２を挿通させることができ、第２指針５２により斜面部３２の水圧目盛り３６上にダイビング時の水深を指し示すことができる。
【００１７】
また、図５に示すように、ハウジング１０の上部開口１１の内面に、少なくとも１つの位置決め溝１２を設置し、図６と図７に示すように、目盛り盤３０の外側において、ハウジング１０の位置決め溝１２と対応する位置に凸部３７を設置してもよい。目盛り盤３０がハウジング１０の上部開口１１内に収容されたとき、凸部３７と位置決め溝１２により、目盛り盤３０がしっかり位置決めされる。
【００１８】
本考案のダイビング用コンソールゲージは、組立てを完了すると、その外観は図１と図２に示すとおりとなる。単一のハウジング１０と単一の目盛り盤３０により、空気タンク残圧の表示とダイビング時の水深の表示を提供することができるため、本考案のダイビング用コンソールゲージは単独で使用でき、別途外部ゲージ装置を配置する必要はない。
また、図３からより明確に分かるように、本考案のダイビング用コンソールゲージは、同一のハウジング１０内部に組み込まれた残圧計４０と水圧計５０が、上下に重ねて配置される組立て方式であるため、全体の体積がより小さくなり、必要時には、表面積が小さいゲージ装置上に嵌設することもでき、ゲージ装置上のより多くの空間をコンパスや照明ランプなどその他のゲージやツールの設置に供することができ、その全体の体積は従来のダイビング用コンソールゲージより小さく、重量もより軽くできる。
【００１９】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００２０】
１０  ハウジング
１１  上部開口
１２  位置決め溝
１３  上係合溝
１４  下部開口
１５  内面凸部
１６  下係合溝
１７  空気圧管口
１８  空気圧ポート
１９  上蓋
２０  係合凸部
２１  透明板
２２  漏れ防止パッキン
２３  底蓋
２４  水圧孔
２５  係合凸部
３０  目盛り盤
３１  平面部
３２  斜面部
３３  溝部
３４  軸孔
３５  空気圧目盛り
３６  水圧目盛り
３７  凸部
４０  残圧計
４１  空気入口
４２  軸心
４３  第１指針
５０  水圧計
５１  軸心
５２  第２指針
５３  水圧膜
【図１】
0003204469.tif 000003
【図２】
0003204469.tif 000004
【図３】
0003204469.tif 000005
【図４】
0003204469.tif 000006
【図５】
0003204469.tif 000007
【図６】
0003204469.tif 000008
【図７】
0003204469.tif 000009